(57)【要約】【課題】取得した画像の品質を再確認できるようになるまでの時間を短縮する。【解決手段】原稿読取装置３において、原稿Ｍの両面を読み取って、原稿Ｍの第１主面Ｍ１の第１プレビューデータＰＤ１及び第２主面Ｍ２の第２プレビューデータＰＤ２をディスプレイＤに表示させた結果、第１画像Ｇ１を有効とする操作を受け付け、かつ、第２画像Ｇ２を無効とする操作を受け付けたら、制御部９は、読取済み原稿Ｍ'の第１主面Ｍ１を読取部３５に導かせ読み取りを禁止する一方、第２主面Ｍ２を読取部３５に読み取らせることで第３画像Ｇ３を取得し、さらに、当該第３画像Ｇ３の第３プレビューデータＰＤ３を生成してディスプレイＤに表示させる。【選択図】図７
2018026648.tif 000002
【特許請求の範囲】
【請求項１】
表示部と、
原稿を読み取る読取部と、
前記原稿を前記読取部へ供給する原稿供給部と、
前記原稿供給部から供給された前記原稿の第１主面を前記読取部上に導き、その後、当該原稿を反転して前記原稿の第２主面を前記読取部に導く原稿給送機構と、
ユーザの操作を受け付ける操作受付部と、
前記原稿給送機構に前記第１主面を前記読取部へ導かせ、前記読取部に前記第１主面を読み取らせることで第１画像を取得し、さらに、当該第１画像の第１プレビューデータを生成して前記表示部に表示させ、
前記第１プレビューデータに基づいた前記第１画像を有効にするかどうかの操作を、前記操作受付部から受け付け、
前記原稿給送機構に前記原稿を反転して前記第２主面を前記読取部へ導かせ、前記読取部に前記第２主面を読み取らせることで第２画像を取得し、さらに、当該第２画像の第２プレビューデータを生成して前記表示部に表示させ、
前記第２プレビューデータに基づいた前記第２画像を有効にするかどうかの操作を、前記操作受付部から受け付ける、
動作を実行する制御部と、を備え、
前記第１画像を有効とする操作を受け付け、かつ、前記第２画像を無効とする操作を受け付けたら、前記制御部は、
前記原稿給送機構に一度読み取った読取済み原稿の前記第１主面を前記読取部に導かせ、さらに、前記読取部に当該第１主面の読み取りを禁止し、
前記原稿給送機構に前記読取済み原稿を反転して前記第２主面を前記読取部へ導かせ、さらに、前記読取部に前記読取済み原稿の前記第２主面を読み取らせることで第３画像を取得し、さらに、当該第３画像の第３プレビューデータを生成して前記表示部に表示させる、
動作を実行する、原稿読取装置。
【請求項２】
前記制御部は、
前記一度読み取った読取済み原稿の第１主面を前記読取部に導く際には、前記読取部にて読み取りを行う場合の搬送速度よりも高速にて前記読取済み原稿を搬送する、請求項１記載の原稿読取装置。
【請求項３】
前記制御部は、前記第１画像を無効とする操作を受け付けたら、前記第２主面を読み取ることなく、前記原稿を原稿排出トレイに排出させる、請求項１又は２に記載の原稿読取装置。
【請求項４】
前記原稿給送機構は、前記第１主面を読み取るときの前記原稿の搬送方向と前記第２主面を読み取るときの前記原稿の搬送方向とを互いに逆とすることにより、前記原稿を反転させる、請求項１〜３のいずれか１項に記載の原稿読取装置。
【請求項５】
表示部と、
原稿の第１主面を読み取る第１読取部と、前記原稿の第２主面を読み取る第２読取部と、を有する読取部と、
前記原稿を前記読取部へ搬送する原稿搬送部と、
ユーザの操作を受け付ける操作受付部と、
前記原稿搬送部に前記原稿を前記読取部へ搬送させ、さらに、前記第１読取部に前記第１主面を読み取らせることで第１画像を取得し、前記第２読取部に前記第２主面を読み取らせることで第２画像を取得し、
前記第１画像及び前記第２画像から、それぞれ、第１プレビューデータ及び第２プレビューデータを生成して前記表示部に表示させ、
前記第１プレビューデータ及び前記第２プレビューデータに基づいた前記第１画像及び前記第２画像を有効にするかどうかの操作を、前記操作受付部から受け付け、
前記第１画像又は前記第２画像のいずれかを無効とする操作を受け付けたら、一度読み取った読取済み原稿の画像が無効とされた側の主面のみを再度読み取ることで第３画像を取得し、さらに、当該第３画像の第３プレビューデータを生成して前記表示部に表示させる、
動作を実行する制御部と、を備える原稿読取装置。
【発明の詳細な説明】
【技術分野】
【０００１】
本発明は、原稿の両面の読み取りを実行する原稿読取装置に関する。
【背景技術】
【０００２】
ＭＦＰ（Ｍｕｌｔｉ  Ｆｕｎｃｔｉｏｎａｌ  Ｐｅｒｉｐｈｅｒａｌ）などの画像形成装置には、原稿の文字や画像などが表示された主面を読み取って、当該主面の情報を画像などとして取得する装置が備えられている。これにより、画像形成装置は、原稿のコピー機能及び／又はＦＡＸ機能を有する。
【０００３】
また、ＭＰＦは、原稿を読み取って取得された画像が所望の品質を有しているか否かを確認するために、取得した画像をディスプレイに表示する機能を有している。例えば、特許文献１には、両面反転読取モード及び両面同時読取モードにて取得した原稿の表面と裏面の読取画像を、表示部にプレビュー表示する画像読取装置が開示されている。
【先行技術文献】
【特許文献】
【０００４】
【特許文献１】特開２００９−８８６９４号公報
【発明の概要】
【発明が解決しようとする課題】
【０００５】
このような従来の画像読取装置では、両面のうちの一方（特に、２回目に読み取った面）についてのみ再読取を実行する必要が場合でも、両面が共に再読取りされ、再読取によって得られた両面の画像をプレビュー表示していた。その結果、従来の画像読取装置では、片面の再読取をして画像の品質を再確認できるようになるまでに時間がかかっていた。
【０００６】
本発明の目的は、原稿の両面を読み取ってプレビュー表示する原稿読取装置において、取得した画像の品質を再確認できるようになるまでの時間を短縮することにある。
【課題を解決するための手段】
【０００７】
以下に、課題を解決するための手段として複数の態様を説明する。これら態様は、必要に応じて任意に組み合せることができる。
本発明の一見地に係る原稿読取装置は、表示部と、読取部と、原稿供給部と、原稿給送機構と、操作受付部と、制御部と、を備える。読取部は、原稿を読み取る。原稿供給部は、原稿を読取部へ供給する。原稿給送機構は、原稿供給部から供給された原稿の第１主面を読取部上に導き、その後、当該原稿を反転して原稿の第２主面を読取部に導く。操作受付部は、ユーザの操作を受け付ける。
【０００８】
制御部は、以下の動作を実行する。
◎原稿給送機構に第１主面を読取部へ導かせ、読取部に第１主面を読み取らせることで第１画像を取得し、さらに、当該第１画像の第１プレビューデータを生成して表示部に表示させる。
◎第１プレビューデータに基づいた第１画像を有効にするかどうかの操作を、操作受付部から受け付ける。
◎原稿給送機構に原稿を反転して第２主面を読取部へ導かせ、読取部に第２主面を読み取らせることで第２画像を取得し、さらに、当該第２画像の第２プレビューデータを生成して表示部に表示させる。
◎第２プレビューデータに基づいた第２画像を有効にするかどうかの操作を、操作受付部から受け付ける。
【０００９】
上記の原稿読取装置において、第１画像を有効とする操作を受け付け、かつ、第２画像を無効とする操作を受け付けたら、制御部は、以下の動作を実行する。
◎原稿給送機構に一度読み取った読取済み原稿の第１主面を読取部に導かせ、さらに、読取部に当該第１主面の読み取りを禁止する。
◎原稿給送機構に読取済み原稿を反転して第２主面を読取部へ導かせ、さらに、読取部に読取済み原稿の第２主面を読み取らせることで第３画像を取得し、さらに、当該第３画像の第３プレビューデータを生成して表示部に表示させる。
【００１０】
上記の原稿読取装置では、原稿の両面を読み取ってプレビュー表示した結果、最初に読み取った第１主面の第１画像を有効とする。そして、後で読み取った第２主面の第２画像を無効とする操作をユーザが行った場合に、当該原稿の再読取において、第１主面については読取部にて読み取ることなく搬送し、その後、第２主面の再読取を実行している。
これにより、再読取りの際には第1主面のプレビュー表示がされることなく、後で読み取った第２主面の再読取にて得られた第３画像をプレビュー表示するまでの時間を短縮できる。つまり、短時間で、再読取にて取得した画像（第３画像）の品質を再確認できる。
【００１１】
また、再読取に際して、原稿の再読取が必要な第２面のみを読み取ることにより、読取部が第１面を読み取るために必要とする電力を節約できる。
【００１２】
制御部は、一度読み取った読取済み原稿の第１主面を読取部に導く際には、読取部にて読み取りを行う場合の搬送速度よりも高速にて読取済み原稿を搬送してもよい。これにより、再読み取りの際に、第１主面が読取部を通過する速度を、画像を読み取る場合の速度よりも大きくすることにより、さらに、第３画像をプレビュー表示するまでの時間を短縮できる。
【００１３】
制御部は、第１画像を無効とする操作を受け付けたら、第２主面を読み取ることなく、原稿を原稿排出トレイに排出させてもよい。これにより、最初に読み取った第１主面の第１画像を無効とした場合に、第２主面の読み取り回避できる。
【００１４】
原稿給送機構は、第１主面を読み取るときの原稿の搬送方向と第２主面を読み取るときの原稿の搬送方向とを互いに逆とすることにより、原稿を反転させてもよい。これにより、原稿の差し替えなどを手動で行うことなく、自動で原稿の両面を読み取ることができる。
【００１５】
本発明の他の見地に係る原稿読取装置は、表示部と、読取部と、原稿搬送部と、操作受付部と、制御部と、を備える。読取部は、原稿の第１主面を読み取る第１読取部と、原稿の第２主面を読み取る第２読取部と、を有する。原稿搬送部は、原稿を読取部へ搬送する。操作受付部は、ユーザの操作を受け付ける。
【００１６】
制御部は、以下の動作を実行する。
◎原稿搬送部に原稿を読取部へ搬送させ、さらに、第１読取部に第１主面を読み取らせることで第１画像を取得し、第２読取部に第２主面を読み取らせることで第２画像を取得する。
◎第１画像及び第２画像から、それぞれ、第１プレビューデータ及び第２プレビューデータを生成して表示部に表示させる。
◎第１プレビューデータ及び第２プレビューデータに基づいた第１画像及び第２画像を有効にするかどうかの操作を、操作受付部から受け付ける。
◎第１画像又は第２画像のいずれかを無効とする操作を受け付けたら、一度読み取った読取済み原稿の画像が無効とされた側の主面のみを再度読み取ることで第３画像を取得し、さらに、当該第３画像の第３プレビューデータを生成して表示部に表示させる。
【００１７】
上記の原稿読取装置では、原稿の両面を読み取ってプレビュー表示した結果、両面の画像のうちいずれかが無効であるとされた場合に、当該無効とされた側の主面のみを再度読み取り、その画像のみをプレビュー表示する。
再読取に際して再読取が必要な主面のみを読み取ることにより、読取が有効である主面を再度読み取ることがない。そのため電力を節約できる。
【発明の効果】
【００１８】
取得した画像の品質を再確認できるようになるまでの時間を短縮できる。
【図面の簡単な説明】
【００１９】
【図１】画像形成装置の外観を示す斜視図。
【図２】第１実施形態に係る原稿読取装置の構成を示す図。
【図３】原稿が原稿反転位置にて停止している状態の一例を示す図。
【図４】制御部の構成を示す図。
【図５】第１実施形態に係る原稿読取装置における原稿の読取動作を示すフローチャート。
【図６】プレビュー画面の一例を示す図。
【図７】第１実施形態に係る第２主面の再読取動作を示すフローチャート。
【図８】第２実施形態に係る原稿読取装置の構成を示す図。
【図９】第２実施形態に係る原稿読取装置における原稿の読取動作を示すフローチャート。
【図１０】プレビュー画面の他の一例を示す図。
【発明を実施するための形態】
【００２０】
１．第１実施形態
（１）画像形成装置
以下、本発明に一実施形態に係る原稿読取装置３を備える画像形成装置１００について、図１を用いて説明する。図１は、画像形成装置の外観を示す斜視図である。
画像形成装置１００は、例えば、コピー機能とファクシミリ機能となどを備えたＭＦＰである。画像形成装置１００は、内部に制御部９（図４）と画像形成部１１（図４）とを有する本体部１を備える。制御部９は、画像形成装置１００（原稿読取装置３）を制御するコンピュータシステムである。画像形成部１１は、例えば、原稿読取装置３にて読み取った画像などの印刷したい画像を、電子写真方式にて用紙に印刷する装置である。
【００２１】
画像形成装置１００は、本体部１の上部に原稿読取装置３を備える。原稿読取装置３は、原稿の主面の情報を画像データとして取得するための装置である。原稿読取装置３にて取得された画像データは、制御部のＲＡＭ９５などの記憶装置に記憶されて、例えば、画像形成部１１にて用紙に画像を印刷する際に使用でき、ファクシミリ（以下ＦＡＸという）通信にて外部に送信でき、又は、外部に接続された機器（パーソナルコンピュータなど）に送信できる。
【００２２】
画像形成装置１００は、原稿読取装置３の下方に設けられた操作パネル５（操作受付部の一例）を備える。図１に示すように、操作パネル５は、ユーザによる入力操作を受け付けるボタン類Ｂ１、Ｂ２と、画像形成装置１００における各種情報を表示する液晶ディスプレイなどのディスプレイＤ（表示部の一例）を有している。ディスプレイＤの表示面には、タッチパネルが設けられており、当該タッチパネルによってもユーザによる入力操作を受け付けることができる。
【００２３】
画像形成装置１００は、本体部１の下部に給紙装置７を備える。給紙装置７は、画像を印刷したい用紙を画像形成部１１に供給する。
【００２４】
（２）原稿読取装置
次に、本実施形態に係る原稿読取装置３の詳細について、図２を用いて説明する。図２は、原稿読取装置の構成を示す図である。本実施形態に係る原稿読取装置３は、原稿Ｍを１枚ずつ搬送しながらその両面を読み取って、画像データとして出力するための装置である。原稿読取装置３は、原稿供給部３１と、原稿給送機構３３と、読取部３５と、を有する。
【００２５】
なお、原稿読取装置３の各種情報は上記のディスプレイＤに表示され、また、原稿読取装置３に対するユーザからの入力操作は、操作パネル５から実行される。さらに、原稿読取装置３の各構成要素の制御は、制御部９において行われる。従って、原稿読取装置３は、ディスプレイＤと、操作パネル５と、制御部９をさらに含んでいる。
【００２６】
（３）原稿供給部
原稿供給部３１は、原稿Ｍを原稿給送機構３３（後述）へ供給する機構である。具体的には、原稿供給部３１は、読み取りたい原稿Ｍを載置する原稿供給トレイ３１ａと、原稿供給トレイ３１ａの一端の近傍に配置されたピックアップローラ３１ｂと、原稿供給ローラ３１ｃと、にて構成できる。
原稿供給部３１においては、ピックアップローラ３１ｂが、その回転により、原稿Ｍを原稿供給トレイ３１ａから原稿供給ローラ３１ｃへと搬送する。その後、原稿供給ローラ３１ｃが、その回転により、原稿Ｍを、第１搬送経路Ｒ１を介して原稿給送機構３３へと供給する。
【００２７】
（４）原稿給送機構
原稿給送機構３３は、原稿供給部３１から供給された原稿Ｍの第１主面Ｍ１（後述）を読取部３５上に導き、その後、当該原稿Ｍを反転して原稿Ｍの第２主面（後述）を読取部３５に導く機構である。
具体的には、原稿給送機構３３は、第１搬送経路Ｒ１と第２搬送経路Ｒ２（後述）との接続部分に配置された第１ローラ対３３ａと、第２搬送経路Ｒ２の第１ローラ対３３ａと読取部３５との間に配置された第２ローラ対３３ｂと、第３搬送経路Ｒ３の読取部３５よりも原稿排出トレイＴ側に配置された第３ローラ対３３ｃと、原稿排出トレイＴへの排出口に配置された第４ローラ対３３ｄと、第３搬送経路Ｒ３と第４搬送経路Ｒ４との間に配置された経路切替部材３３ｅと、により構成できる。
【００２８】
また、原稿給送機構３３において、第１搬送経路Ｒ１の原稿供給ローラ３１ｃと第１ローラ対３３ａ（後述）との間には、第１センサＳＥ１が設けられている。第１センサＳＥ１は、例えば、原稿Ｍの通過を検出するとＯＮするスイッチ素子である。
【００２９】
第１ローラ対３３ａは、原稿Ｍの通過が第１センサＳＥ１にて検出されると、その回転を停止し、所定の時間（原稿Ｍの先頭部分が第１ローラ対３３ａにてレジストされるよりも長い時間）後に回転を再開する。これにより、第１ローラ対３３ａは、レジストした原稿Ｍを、第２搬送経路Ｒ２を介して第２ローラ対３３ｂまで搬送できる。
【００３０】
第２ローラ対３３ｂは、その回転により、第１ローラ対３３ａから搬送されてきた原稿Ｍを、読取部３５の直上位置Ｐまで導く。第２搬送経路Ｒ２の第２ローラ対３３ｂから読取部３５の直上位置Ｐまでの間には、第２センサＳＥ２が設けられている。第２センサＳＥ２は、原稿Ｍ通過を検出するとＯＮするスイッチ素子である。具体的には、第２センサＳＥ２は、第１ローラ対３３ａが回転を開始してから所定の時間以上、原稿Ｍの通過を検出しなかった場合に、第２搬送経路Ｒ２において原稿Ｍのつまりが発生したことを検出する。
【００３１】
第３ローラ対３３ｃは、その回転により、読取部３５の直上位置Ｐを通過した原稿Ｍを、第３搬送経路Ｒ３を介して、第４ローラ対３３ｄへと搬送する。
【００３２】
第４ローラ対３３ｄは、正回転と逆回転とを切り替え可能なローラ対である。経路切替部材３３ｅは、回動可能とされており、第４搬送経路Ｒ４を閉鎖して第３搬送経路Ｒ３を開通させるか、又は、その逆を行う部材である。
経路切替部材３３ｅが第３搬送経路Ｒ３を開通させた状態にて、第４ローラ対３３ｄが正回転すると、第３搬送経路Ｒ３を搬送されてきた原稿Ｍは、原稿排出トレイＴへと排出される。一方、その逆に、経路切替部材３３ｅが第４搬送経路Ｒ４を開通させた状態にて、第４ローラ対３３ｄが逆回転すると、第４ローラ対３３ｄにニップされた原稿Ｍは、第４搬送経路Ｒ４を介して、第１ローラ対３３ａへと搬送される。
【００３３】
第３搬送経路Ｒ３の第３ローラ対３３ｃと第４ローラ対３３ｄとの間には、第３センサＳＥ３が設けられている。第３センサＳＥ３は、第３搬送経路Ｒ３における原稿Ｍの通過を検出するとＯＮするスイッチ素子である。
【００３４】
上記の構成を有する原稿給送機構３３では、以下のようにして原稿Ｍの両面を読取部３５へと導く。
まず、第１ローラ対３３ａ及び第２ローラ対３３ｂが、原稿供給部３１から供給された原稿Ｍを、第２搬送経路Ｒ２を介して、読取部３５の直上位置Ｐに導く。このとき、原稿Ｍは、原稿供給トレイ３１ａに載置されていた際に上方向に向いていた側の主面（第１主面Ｍ１と呼ぶ）と読取部３５とが対向した状態で導かれる。
【００３５】
直上位置Ｐを通過すると、原稿Ｍは、第３ローラ対３３ｃにニップされ、第３ローラ対３３ｃの回転により第３搬送経路Ｒ３へと搬送され、さらに、第４ローラ対３３ｄにニップされる。第４ローラ対３３ｄの正回転により、第３搬送経路Ｒ３を搬送されてきた原稿Ｍは、第３搬送経路Ｒ３を原稿排出トレイＴの方向へさらに搬送される。
【００３６】
第３搬送経路Ｒ３に配置された第３センサＳＥ３が原稿Ｍの後端部分の通過を検知してから所定の時間が経過すると、第４ローラ対３３ｄの正回転が停止する。このとき、原稿Ｍは、図３に示すように、その後端部分が第４ローラ対３３ｄにニップされた状態となる。原稿Ｍが図３に示すような状態で停止することを、「原稿Ｍが原稿反転位置にて停止している」と呼ぶことにする。図３は、原稿が原稿反転位置にて停止している状態の一例を示す図である。
【００３７】
この段階において、原稿反転位置にて停止している原稿Ｍの第１主面Ｍ１が下方向を向いている一方、当該原稿Ｍが原稿供給トレイ３１ａに載置されていた際に下方向に向いていた側の主面（第２主面Ｍ２と呼ぶ）は上方向を向いている。
【００３８】
その後、経路切替部材３３ｅが第４搬送経路Ｒ４を開通（第３搬送経路Ｒ３を閉鎖）させ、さらに、第４ローラ対３３ｄが逆回転することで、原稿Ｍは原稿反転位置から第４搬送経路Ｒ４へと搬送される。第４搬送経路Ｒ４を搬送されてきた原稿Ｍは、再度、第１ローラ対３３ａにニップされて、上記にて説明したようにして読取部３５へと導かれる。
【００３９】
原稿Ｍが原稿反転位置にて停止しているときに原稿Ｍの第２主面Ｍ２が上方向に向いているので、原稿反転位置から第４搬送経路Ｒ４及び第２搬送経路Ｒ２を搬送されてきた原稿Ｍは、第２主面Ｍ２が読取部３５と対向した状態にて、読取部３５へと導かれる。
【００４０】
このように、原稿給送機構３３においては、第４ローラ対３３ｄを基準として見た第１主面Ｍ１を読取部３５へ導くときの原稿Ｍの搬送方向は、第３ローラ対３３ｃから第４ローラ対３３ｄへ向かう方向である一方、第２主面Ｍ２を読取部３５へ導くときの搬送方向は、第４ローラ対３３ｄから第１ローラ対３３ａへと向かう方向と、互いに逆となっている。これにより、原稿Ｍの差し替えなどを手動で行うことなく、自動で原稿Ｍの両面を読取部３５にて読み取ることができる。
【００４１】
（５）読取部
読取部３５は、第２搬送経路Ｒ２を搬送されてきた原稿Ｍを読み取る機構である。具体的には、読取部３５は、筐体Ｃの直上位置Ｐに対応する位置に配置されたスリットガラス３５ａと、スリットガラス３５ａに対して、原稿給送機構３３とは反対側に配置された光源３５ｂと、ミラー３５ｃと、ＣＣＤ３５ｄと、にて構成できる。
スリットガラス３５ａは、第２搬送経路Ｒ２から搬送されてきた原稿Ｍの第１主面Ｍ１又は第２主面Ｍ２が通過する透明の部材である。光源３５ｂは、スリットガラス３５ａを介して、スリットガラス３５ａ上を通過中の原稿Ｍの主面に光を照射する、ＬＥＤ、蛍光灯、冷陰極管などの光源である。
【００４２】
光源３５ｂから照射された光は、スリットガラス３５ａを通過中の原稿Ｍの主面にて反射され、ミラー３５ｃへと伝搬する。ミラー３５ｃは、原稿Ｍの主面から伝搬されてきた反射光の光路を変更し、ＣＣＤ３５ｄへと導く。ＣＣＤ３５ｄは、ミラー３５ｃにて光路を変更された原稿Ｍの主面からの反射光を受光し、当該反射光の強度に基づいた電気信号を出力する。
原稿Ｍの主面からの反射光の強度は、当該主面の反射率（すなわち、主面の色の変化）に依存するので、当該反射光の強度をＣＣＤ３５ｄにより検出することにより、読取部３５は、原稿Ｍの主面に印刷などされた文字や絵などの情報を読み取って、当該読み取った情報を画像データとして出力できる。
【００４３】
読取部３５は、ＡＦＥ（Ａｎａｌｏｇ  Ｆｒｏｎｔ  Ｅｎｄ）回路３５ｅ（図４）を有していてもよい。ＡＦＥ回路３５ｅは、読取部３５のＣＣＤ３５ｄからの出力信号をサンプルホールドして、Ａ／Ｄ変換する回路である。ＣＣＤ３５ｄからの出力信号は一般的には連続的なアナログ信号であるので、読取部３５がＡＦＥ回路３５ｅを有することにより、ＣＣＤ３５ｄからの出力信号を一画素ごとのデジタル信号として、制御部９へと入力できる。
【００４４】
（６）制御部
次に、画像形成装置１００（原稿読取装置３）の制御部９の構成について、図４を用いて説明する。図４は、制御部の構成を示す図である。本実施形態の制御部９は、ＳｏＣ（Ｓｙｓｔｅｍ  ｏｎ  Ｃｈｉｐ）により構成されたコンピュータシステムであり、ＣＰＵ９１と、画像処理回路９３と、ＲＡＭ９５と、ＲＯＭ９７と、を主に有する。
なお、ＲＡＭ９５及びＲＯＭ９７などの記憶素子は、ＳｏＣ内部に形成されていてもよいし、ＳｏＣ内部に形成されたメモリコントローラ（図示せず）などを介して、外部に接続されていてもよい。
【００４５】
ＣＰＵ９１は、画像形成装置１００に関する各種情報処理を実行する。画像処理回路９３は、画像データに関する情報処理を実行する。具体的には、画像入力インターフェース９９ａを介して読取部３５から入力した信号（ＣＣＤ３５ｄからの出力信号）を処理して、読み取った主面の情報を表す画像データを生成する。
【００４６】
また、画像処理回路９３は、当該画像データからディスプレイＤに表示するためのプレビューデータを生成する。プレビューデータのデータ形式としては、例えば、ビットマップ、ＪＰＥＧ、ＴＩＦＦ、ＲＡＷなどの画像データ形式を採用できる。
【００４７】
ＲＡＭ９５は、原稿読取装置３にて読み取った原稿Ｍの画像データ、プレビューデータ、画像形成装置１００の制御に用いられる各種パラメータなどの各種データを記憶する。ＲＯＭ９７は、ＣＰＵ９１において実行される画像形成装置１００（原稿読取装置３）の制御を行うためのプログラム、書き換え頻度が低いデータなどを記憶する。
【００４８】
制御部９は、上記以外にも、ＣＰＵ９１の指令に従って、画像形成装置１００に備わった各種構成要素から信号を入力したり、当該構成要素に信号を出力したりするための各種インターフェースを有している。
具体的には、制御部９は、上記の画像入力インターフェース９９ａと、Ｉ／Ｏポート９９ｂと、モータコントローラ９９ｃと、表示画像出力インターフェース９９ｄと、シリアルインターフェース９９ｅ、９９ｈと、画像出力インターフェース９９ｆと、ネットワークインターフェース９９ｇを有している。
【００４９】
Ｉ／Ｏポート９９ｂは、原稿読取装置３の第１〜第３センサＳＥ１〜ＳＥ３のＯＮ／ＯＦＦ状態を入力する。モータコントローラ９９ｃは、原稿読取装置３（画像形成装置１００）に備わった各ローラを回転させるモータを制御する。表示画像出力インターフェース９９ｄは、ＲＡＭ９５に記憶されているプレビューデータをディスプレイＤに出力する。シリアルインターフェース９９ｅは、操作パネル５のボタン類Ｂ１、Ｂ２中のボタンのＯＮ／ＯＦＦ（ボタンが押されているか否か）の情報を入力する。また、タッチパネルの操作情報もシリアルインターフェース９９ｅを介して、制御部９に入力される。
【００５０】
また、シリアルインターフェース９９ｈは、ＦＡＸシステムＦにＦＡＸ機能にて送信したい画像データを出力したり、又は、ＦＡＸシステムＦから受信した信号を入力したりする。シリアルインターフェース９９ｈを介して受信したＦＡＸシステムＦからの画像信号は、画像処理回路９３により処理されて、ＦＡＸデータとしてＲＡＭ９５に記憶される。
【００５１】
画像出力インターフェース９９ｆは、ＲＡＭ９５に記憶されている用紙に印刷したい画像データを、画像形成部１１に出力する。ネットワークインターフェース９９ｇは、ＬＡＮなどのネットワークＮと接続され、当該ネットワークＮに接続された他の機器（例えば、パーソナルコンピュータなど）との信号の送受信を行う。
【００５２】
（７）原稿読取装置における原稿の読取動作
次に、本実施形態に係る原稿読取装置３の動作について、図５を用いて説明する。図５は、原稿読取装置における原稿の読取動作を示すフローチャートである。
まず、ユーザが、原稿供給トレイ３１ａに、例えば複製（コピー）したい両面に情報（画像及び／又は文字）が存在する原稿Ｍを載置する。次に、ユーザは、操作パネル５のボタン類Ｂ１、Ｂ２などを用いて、第１主面Ｍ１及び第２主面Ｍ２のそれぞれの読取条件を設定する。
【００５３】
次に、例えば、ユーザがボタン類Ｂ１、Ｂ２の「スタート」ボタンを押すことにより、制御部９は、原稿供給部３１から原稿給送機構３３へと原稿Ｍを供給させ、原稿給送機構３３に、供給された原稿Ｍの第１主面Ｍ１を直上位置Ｐへと導かせる（ステップＳ１）。
【００５４】
制御部９は、原稿給送機構３３に、直上位置Ｐから第３搬送経路Ｒ３へと原稿Ｍをさらに搬送させる。原稿Ｍが直上位置Ｐから第３搬送経路Ｒ３へと搬送される間（原稿Ｍの終端部分が直上位置Ｐを通過するまで）、読取部３５に、第１主面Ｍ１の読み取りを継続させることで、第１主面Ｍ１の全体を読み取る。
制御部９は、第１主面Ｍ１を読み取ることで読取部３５から出力された信号に基づいて、第１主面Ｍ１の画像（第１画像Ｇ１と呼ぶことにする）を生成し、ＲＡＭ９５に記憶する。
【００５５】
原稿Ｍが第３搬送経路Ｒ３の第３センサＳＥ３を通過してから所定の時間が経過したタイミングで、制御部９は、第４ローラ対３３ｄの正回転を停止させることで、原稿Ｍを、上記の図３に示す原稿反転位置にて停止させる（ステップＳ３）。
【００５６】
その後、制御部９は、ＲＡＭ９５から読み出した第１画像Ｇ１を用いて第１プレビューデータＰＤ１を生成しディスプレイＤへ出力することで、例えば、図６に示すようなプレビュー画面をディスプレイＤに表示させる（ステップＳ４）。図６は、プレビュー画面の一例を示す図である。
【００５７】
ユーザは、図６に示すプレビュー画面の「＋」ボタンＢ３又は「−」ボタンＢ４を押すことにより第１プレビューデータＰＤ１の表示を拡大又は縮小したり、上下左右方向に向いた「＜」ボタンＢ５、「＞」ボタンＢ６、「∨」ボタンＢ７、又は「∧」ボタンＢ８を押すことにより第１プレビューデータＰＤ１の表示位置を調節したりして、第１画像Ｇ１が所望の品質で読み取られているか否かを調べる。なお、「読取プレビュー／ＯＮ」ボタンＢ１１を押すことにより、読取プレビューモードが解除され、プレビューを表示しない読取りとして動作が続行される。
【００５８】
第１画像Ｇ１が所望の品質を有していないと判定したユーザは、例えば、プレビュー画面の「読み取り原稿を有効にしますか？」との表示の下部分の「いいえ」ボタンＢ１０を押す（ステップＳ５において「Ｎｏ」を選択）。このような、取得した画像が所望の品質を有していないと判定して、プレビュー画面の「いいえ」ボタンＢ１０を押すといった操作を、「画像を無効とする操作」と呼ぶことにする。
【００５９】
第１画像Ｇ１を無効とする操作を受け付けた制御部９は、第４ローラ対３３ｄを正回転させて、原稿反転位置にて停止している原稿Ｍを原稿排出トレイＴへと排出させる（ステップＳ１２）。
【００６０】
上記のように、第１画像Ｇ１を無効とする操作を受け付けた場合に、第２主面Ｍ２の読み取りを実行することなく、原稿Ｍを原稿排出トレイＴへと排出することで、第２主面Ｍ２を無駄に読み取ることなく、第１主面Ｍ１の読取条件を直ちに変更できる。
すなわち、第２主面Ｍ２が読み取られなかった原稿Ｍを原稿供給トレイ３１ａに再度載置すると、ステップＳ１〜Ｓ４が再度実行され、同一の第１主面Ｍ１が異なる読取条件にてさらに読み取られる。
【００６１】
一方、第１画像Ｇ１が所望の品質を有していると判定したら、ユーザにより、プレビュー画面の「はい」ボタンＢ９が押される（ステップＳ５において「Ｙｅｓ」を選択）。このような、取得した画像が所望の品質を有していると判定して、プレビュー画面の「はい」ボタンＢ９を押すといった操作を、「画像を有効とする操作」と呼ぶことにする。
その後、第１画像を有効とする操作を受け付けた制御部９は、第２主面Ｍ２の読み取りを開始する。
【００６２】
具体的には、制御部９は、経路切替部材３３ｅに第４搬送経路Ｒ４を開通（第３搬送経路Ｒ３を閉鎖）させ、第４ローラ対３３ｄを逆回転させることにより、原稿停止位置にて停止している原稿Ｍを、第４搬送経路Ｒ４へと搬送させる。これにより、原稿Ｍは、第１ローラ対３３ａに到達した時に、反転されて第２主面Ｍ２が上に向いた状態となる。
【００６３】
第２主面Ｍ２が上に向いた状態の反転された原稿Ｍを、上記にて説明したのと同様にして直上位置Ｐへと導き、原稿反転位置まで搬送して停止させると、第２主面Ｍ２が読取部３５にて読み取られて、第２主面Ｍ２の画像（第２画像Ｇ２と呼ぶことにする）が取得される（ステップＳ６〜ステップＳ８）。
【００６４】
その後、制御部９は、ＲＡＭ９５から読み出した第２画像Ｇ２を用いて第２プレビューデータＰＤ２を生成し、ディスプレイＤに表示させる（ステップＳ９）。
第２プレビューデータＰＤ２が表示されたプレビュー画面を見たユーザにより、第２画像Ｇ２を無効とする操作がなされると（ステップＳ１０において「Ｎｏ」を選択）、当該操作を受け付けた制御部９は、後ほど詳細に説明する第２主面Ｍ２を再度読み取る動作を実行する（ステップＳ１１）。
【００６５】
一方、第２画像Ｇ２を有効とする操作（ステップＳ１０において「Ｙｅｓ」を選択）を受け付けた制御部９は、原稿給送機構３３に、原稿反転位置にて停止している原稿Ｍを、第４搬送経路Ｒ４へと搬送し、第１主面Ｍ１を読み取ることなく、第２搬送経路Ｒ２及び第３搬送経路Ｒ３を経由させてから、原稿排出トレイＴへと排出させる（ステップＳ１２）。
【００６６】
上記のように原稿Ｍを再度反転してから原稿排出トレイＴへと排出することにより、原稿Ｍを、第１主面Ｍ１が下向き（原稿排出トレイＴの排出面の方向）に向いた状態にて排出できる。その結果、原稿供給トレイ３１ａにおける原稿Ｍのページ順と、原稿排出トレイＴにおける排出された原稿Ｍのページ順とを同一にできる。
なお、上記の原稿Ｍを反転後に原稿Ｍを原稿排出トレイＴへと排出する場合には、原稿Ｍの搬送速度を、第１主面Ｍ１又は第２主面Ｍ２を読み取る場合の搬送速度よりも高速にしてもよい。
【００６７】
上記の原稿読取装置３は、原稿供給トレイ３１ａに載置された原稿Ｍが複数枚の用紙にて構成されている場合には、原稿の全ての用紙の両面を読み取るまで、上記のステップＳ１〜Ｓ１２を繰り返し実行する。
【００６８】
（８）第２主面の再読取動作
以下、第１主面Ｍ１を読み取った第１画像Ｇ１を有効とし、かつ、第２主面Ｍ２を読み取った第２画像Ｇ２を無効とした場合に、第２主面Ｍ２を再度読み取る再読取動作について、図７を用いて説明する。図７は、第１実施形態に係る第２主面の再読取動作を示すフローチャートである。
最初の第１主面Ｍ１及び第２主面Ｍ２の読み取りの結果、第１画像Ｇ１を有効とし、かつ、第２画像Ｇ２を無効とする操作を受け付けた制御部９は、原稿給送機構３３に、原稿反転位置にて停止した原稿Ｍをさらに反転させて当該原稿Ｍの第１主面Ｍ１を下向きにして、原稿排出トレイＴへと排出させる（ステップＳ１１０１）。
【００６９】
ユーザは、原稿排出トレイＴへと排出された一度読み取った原稿Ｍ（読取済み原稿Ｍ'と呼ぶことにする）を、第１主面Ｍ１を上方向に向けて、原稿供給トレイ３１ａに再度載置する（ステップＳ１１０２）。その後、ユーザは、例えば、ボタン類Ｂ１、Ｂ２を用いて第２主面Ｍ２の読取条件を変更し、「スタート」ボタンを押す。すると、読取済み原稿Ｍ'は、原稿供給部３１により原稿給送機構３３に供給される。
【００７０】
その後、制御部９は、原稿給送機構３３に、読取済み原稿Ｍ'を、第１主面Ｍ１が読取部３５にて読み取られる状態にて第２搬送経路Ｒ２を搬送させ、さらに、第３搬送経路Ｒ３を介して原稿反転位置まで搬送させて停止させる（ステップＳ１１０３〜Ｓ１１０４）。
当該読取済み原稿Ｍ'の搬送時、制御部９は、原稿給送機構３３の各ローラ対の回転速度を、主面を読取部３５にて読み取るときの回転速度よりも高速に回転させて、読取済み原稿Ｍ'を、読み取りを行う場合よりも高速に読取部３５に導き、さらに原稿反転位置まで高速搬送する。また、読取部３５に、読取済み原稿Ｍ'の第１主面Ｍ１の読み取りを禁止する。
【００７１】
次に、制御部９は、各ローラ対の回転速度を、主面の読み取りを実行する際の回転速度として、原稿反転位置にて停止している読取済み原稿Ｍ'を、主面の読み取りを実行する搬送速度にて、第４搬送経路Ｒ４及び第２搬送経路Ｒ２を介して直上位置Ｐまで導き、さらに、第３搬送経路Ｒ３を介して原稿反転位置まで搬送して停止させる。
当該搬送時に、制御部９は、読取部３５に読取済み原稿Ｍ'の第２主面Ｍ２を読み取らせ、当該第２主面Ｍ２の読み取り結果を第３画像Ｇ３として取得する（ステップＳ１１０５〜ステップＳ１１０７）。
【００７２】
第３画像Ｇ３の取得後、制御部９は、第３画像Ｇ３をＲＡＭ９５から読み出して、（読取条件を異ならせて取得した第２主面Ｍ２の）第３画像Ｇ３の第３プレビューデータＰＤ３を生成し、ディスプレイＤに表示させる（ステップＳ１１０８）。
【００７３】
ユーザによる第３画像Ｇ３を有効とする操作を受け付けると（ステップＳ１１０９において「Ｙｅｓ」を選択）、制御部９は、上記のステップＳ１２と同様にして、第１主面Ｍ１を下向きにした状態で、読取済み原稿Ｍ'を原稿排出トレイＴへ排出し（ステップＳ１１１０）、第２主面Ｍ２の再読取を終了する。
【００７４】
一方、第３画像Ｇ３を無効とする操作を受け付けると（ステップＳ１１０９において「Ｎｏ」を選択）、例えば、第２主面Ｍ２の再読取動作は、ステップＳ１１０１に戻り、所望の品質の第２主面Ｍ２の画像が取得されるまで、上記のステップＳ１１０１〜Ｓ１１０９を繰り返し実行する。
【００７５】
上記のように、３パス方式（（ｉ）原稿Ｍの第１主面Ｍ１の読み取り、（ｉｉ）原稿Ｍを反転して第２主面Ｍ２の読み取り、（ｉｉｉ）原稿Ｍを反転して原稿排出トレイＴに排出する方式）にて原稿Ｍの両面を読み取る、第１実施形態に係る原稿読取装置３では、最初に読み取った第１画像Ｇ１を有効とする一方、後で読み取った第２画像Ｇ２を無効とする操作をユーザが行った場合に、当該原稿Ｍの再読取において、再読取が不要な第１主面Ｍ１については読取部３５にて読み取ることなく高速に搬送し、その後、第２主面Ｍ２の再読取のみを実行している。
【００７６】
これにより、後で読み取った第２主面Ｍ２の再読取にて得られた第３画像Ｇ３をプレビュー表示するまでの時間を短縮して、再読取にて取得した画像（第３画像Ｇ３）の品質を再確認できるようになるまでの時間を短縮できる。
【００７７】
また、第２主面Ｍ２の再読取の実行時に第１主面Ｍ１を高速搬送しているとき、第１主面Ｍ１の読み取りは実行されていない。これにより、第１主面Ｍ１の高速搬送時に読取部３５の光源３５ｂを点灯させる必要がなくなるので、第１主面Ｍ１を読み取るための電力を節約できる。
【００７８】
２．第２実施形態
第１実施形態において説明した第２主面Ｍ２の再読取動作は、他の方式により原稿Ｍの両面を読み取る装置に対しても適用できる。例えば、図８に示すような、１パス方式による原稿読取装置３'に対しても適用できる。図８は、第２実施形態に係る原稿読取装置の構成を示す図である。
１パス方式による第２実施形態に係る原稿読取装置３'は、読取部３５（第１読取部の一例）に加えて、直上位置Ｐの近傍の読取部３５が配置された側とは反対側に、例えば、ＣＩＳ（Ｃｏｎｔａｃｔ  Ｉｍａｇｅ  Ｓｅｎｓｏｒ）などの読取部３５'（第２読取部の一例）が設けられていることと、経路切替部材３３ｅ及び第４搬送経路Ｒ４が存在しないこと以外は、第１実施形態に係る原稿読取装置３とほぼ同じ構成を有する。なお、第１実施形態にて説明した原稿供給部３１及び原稿給送機構３３を合わせて「原稿搬送部」と呼ぶこともできる。
また、読取部３５と読取部３５’とは、互いの干渉を防ぐため、原稿の搬送方向にずらせて配置させる。
【００７９】
従って、第２実施形態に係る原稿読取装置３'の構成の説明を省略し、当該原稿読取装置３'における原稿Ｍの読取動作について、図９を用いて説明する。図９は、第２実施形態に係る原稿読取装置における原稿の読取動作を示すフローチャートである。
まず、制御部９は、原稿供給部３１に原稿供給トレイ３１ａに載置された原稿Ｍを原稿給送機構３３に供給させ、その後、原稿給送機構３３に当該原稿Ｍを直上位置Ｐまで搬送させる（ステップＳ１'）。
【００８０】
第２センサＳＥ２により原稿Ｍの通過を検出して所定の時間後に、制御部９は、読取部３５に原稿Ｍの第１主面Ｍ１を読み取らせることで第１画像Ｇ１'を取得し、読取部３５'に原稿Ｍの第２主面Ｍ２を読み取らせることで第２画像Ｇ２'を取得する（ステップＳ２'）。
【００８１】
その後、制御部９は、取得した第１画像Ｇ１'及び第２画像Ｇ２'からそれぞれ、第１プレビューデータＰＤ１'及び第２プレビューデータＰＤ２'を生成し、ディスプレイＤに表示させる（ステップＳ３'）。
【００８２】
第１プレビューデータＰＤ１'及び第２プレビューデータＰＤ２'を見たユーザが、第１画像Ｇ１'又は第２画像Ｇ２'を無効とする操作を操作パネル５にて行った場合（ステップＳ４'において「Ｙｅｓ」の場合）、当該操作を受け付けた制御部９は、読取済み原稿Ｍ'の画像が無効とされた側の主面の再読取を実行する（ステップＳ５'）。
【００８３】
具体的には、制御部９は、第１画像Ｇ１'を無効とした場合には、読取済み原稿Ｍ'の再搬送の際に、読取部３５に第１主面Ｍ１を読み取らせることで第３画像Ｇ３'を取得する一方、読取部３５'に第２主面Ｍ２の読み取りを禁止する。
一方、第２画像Ｇ２'を無効とした場合には、読取済み原稿Ｍ'の再搬送の際に、読取部３５'に第２主面Ｍ２を読み取らせることで第３画像Ｇ３'を取得する一方、読取部３５に第１主面Ｍ１の読み取りを禁止する。
【００８４】
その後、第３画像Ｇ３'の第３プレビューデータＰＤ３'を生成しディスプレイＤに表示させた結果、第３画像Ｇ３'を無効とした場合には、上記の無効とした側の主面の再読取を再び実行し、有効とした場合には読取済み原稿Ｍ'を排出し、主面の再読取を終了する。
【００８５】
一方、第１画像Ｇ１'及び第２画像Ｇ２'を両方無効とするか、又は、両方有効とする操作を受け付けた場合（ステップＳ４'において「Ｎｏ」の場合）、制御部９は、原稿給送機構３３に、読取済み原稿Ｍ'を原稿排出トレイＴに排出させる（ステップＳ６'）。
これにより、例えば、第１画像Ｇ１'及び第２画像Ｇ２'を両方無効とする場合には、読取済み原稿Ｍ'を原稿供給トレイ３１ａに載置し、上記のステップＳ１'〜ステップＳ６'を実行することにより、当該読取済み原稿Ｍ'の両面の再読取を実行できる。
【００８６】
１パス方式の第２実施形態に係る原稿読取装置３'では、原稿Ｍの両面を読み取ってプレビュー表示した結果、両面の画像（第１画像Ｇ１'、第２画像Ｇ２'）のうちいずれかが無効であるとされた場合に、当該無効とされた側の主面のみを再度読み取り、再読取にて読み取った画像（第３画像Ｇ３'）のみをプレビュー表示している。
再読取に際して再読取が必要な主面のみを読み取ることにより、読取部３５、３５'が有効である主面を再度読み取るために必要とする電力を節約できる。
【００８７】
３．他の実施形態
以上、本発明の複数の実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組み合せ可能である。
（Ａ）原稿搬送機構についての他の実施形態
原稿読取装置３、３’にて原稿Ｍの両面を読取部３５に導くための原稿供給部３１及び原稿給送機構３３の構成は、第１実施形態及び第２実施形態において説明したものには限られず、様々な原稿搬送機構を用いることができる。
【００８８】
（Ｂ）プレビュー画面の他の実施形態
プレビュー画面において、図１０に示すように、第１プレビューデータＰＤ１、ＰＤ１'及び第２プレビューデータＰＤ２、ＰＤ２'を一度に表示するようにしてもよい。
【００８９】
（Ｃ）原稿の搬送方法についての他の実施形態
第１実施形態に係る原稿読取装置３において、読取済み原稿Ｍ'の第２主面Ｍ２の再読取の際に、読取済み原稿Ｍ'を原稿排出トレイＴに排出後に原稿供給トレイ３１ａに載置することなく、読取済み原稿Ｍ'を原稿反転位置から読取部３５へと導いてもよい。
例えば、第２画像Ｇ２を無効とする操作を受け付けた制御部９は、ユーザによる読取条件の再設定を受け付けた後に、第１主面Ｍ１が上方向を向いた状態で原稿反転位置にて停止している読取済み原稿Ｍ'を、第４搬送経路Ｒ４を介して第１ローラ対３３ａへと搬送し、さらに、第２搬送経路Ｒ２及び第３搬送経路Ｒ３へと（高速に）搬送する。これにより、読取済み原稿Ｍ'は、第２主面Ｍ２が上方向を向いた状態で、原稿反転位置にて停止する。
【００９０】
その後、制御部９は、さらに、当該読取済み原稿Ｍ'を、第４搬送経路Ｒ４を介して第１ローラ対３３ａへ搬送することで、読取済み原稿Ｍ'を原稿排出トレイＴへ排出して原稿供給トレイ３１ａに再度載置することなく、読取済み原稿Ｍ'の第２主面Ｍ２を読取部３５に導くことができる。
【産業上の利用可能性】
【００９１】
本発明は、原稿の両面の読み取りを実行する原稿読取装置に広く適用できる。
【符号の説明】
【００９２】
１００ 画像形成装置
１     本体部
３、３’      原稿読取装置
３１   原稿供給部
３１ａ 原稿供給トレイ
３１ｂ ピックアップローラ
３１ｃ 原稿供給ローラ
３３   原稿給送機構
３３ａ 第１ローラ対
３３ｂ 第２ローラ対
３３ｃ 第３ローラ対
３３ｄ 第４ローラ対
３３ｅ 経路切替部材
Ｒ１   第１搬送経路
Ｒ２   第２搬送経路
Ｒ３   第３搬送経路
Ｒ４   第４搬送経路
ＳＥ１ 第１センサ
ＳＥ２ 第２センサ
ＳＥ３ 第３センサ
３５   読取部（第１読取部）
３５'  読取部（第２読取部）
３５ａ スリットガラス
３５ｂ 光源
３５ｃ ミラー
３５ｄ ＣＣＤ
３５ｅ ＡＦＥ回路
Ｐ     直上位置
５     操作パネル
Ｂ１、Ｂ２    ボタン類
Ｄ     ディスプレイ
７     給紙装置
９     制御部
９１   ＣＰＵ
９３   画像処理回路
９５   ＲＡＭ
９７   ＲＯＭ
９９ａ 画像入力インターフェース
９９ｂ Ｉ／Ｏポート
９９ｃ モータコントローラ
９９ｄ 表示画像出力インターフェース
９９ｅ、９９ｈ              シリアルインターフェース
９９ｆ 画像出力インターフェース
９９ｇ ネットワークインターフェース
１１   画像形成部
Ｆ     ＦＡＸシステム
Ｎ     ネットワーク
Ｃ     筐体
Ｔ     原稿排出トレイ
Ｍ     原稿
Ｍ'    読取済み原稿
Ｍ１   第１主面
Ｍ２   第２主面
Ｂ３〜Ｂ１１  ボタン
Ｇ１、Ｇ１'   第１画像
Ｇ２、Ｇ２'   第２画像
Ｇ３、Ｇ３'   第３画像
ＰＤ１、ＰＤ１'             第１プレビューデータ
ＰＤ２、ＰＤ２'             第２プレビューデータ
ＰＤ３、ＰＤ３'             第３プレビューデータ
【図１】
2018026648.tif 000003
【図２】
2018026648.tif 000004
【図３】
2018026648.tif 000005
【図４】
2018026648.tif 000006
【図５】
2018026648.tif 000007
【図６】
2018026648.tif 000008
【図７】
2018026648.tif 000009
【図８】
2018026648.tif 000010
【図９】
2018026648.tif 000011
【図１０】
2018026648.tif 000012